(57)【特許請求の範囲】
【請求項１】
下方に曲げられた形状を有するモダン本体と、
耳の裏側に沿った細長形状を有し、少なくとも一端側が前記モダン本体前方に配置されるとともに、中途部が前記モダン本体の下端に揺動可能に連結される可動耳当て部と、
前記可動耳当て部に連設されて前記可動耳当て部とともに揺動し、かつ前記可動耳当て部の前記中途部と前記一端の間の位置から、前記モダン本体の前記下端より上側であって前記下端に近接する位置に向けて延出し、先端部が少なくとも前記モダン本体の前面より後方に配置される絡み防止部材と
を備えることを特徴とする眼鏡のモダン。
【請求項２】
前記絡み防止部材は、前記モダン本体の側面に沿って揺動することを特徴とする請求項１に記載の眼鏡のモダン。
【請求項３】
前記絡み防止部材は、前記可動耳当て部から前記モダン本体に向けて延出し、前記モダン本体を挟み込むように配置される第１及び第２の延出部を備えることを特徴する請求項１に記載の眼鏡のモダン。
【請求項４】
前記第１及び第２の延出部それぞれは、前記モダン本体の両側面それぞれに沿って揺動することを特徴とする請求項３に記載の眼鏡のモダン。
【請求項５】
前記絡み防止部材は、前記第１及び第２の延出部の先端同士を連結し、前記モダン本体の背面より後方に配置される保持部を備えることを特徴する請求項３に記載の眼鏡のモダン。
【請求項６】
前記第１及び第２の延出部の少なくとも一方は、前記モダン本体の側面に摩擦係合する突起を有することを特徴とする請求項３に記載の眼鏡のモダン。
【請求項７】
前記絡み防止部材の一部が前記モダン本体に摩擦係合することを特徴とする請求項１に記載の眼鏡のモダン。
【請求項８】
前記絡み防止部材は、前記モダン本体に摩擦係合する突起を有することを特徴とする請求項７に記載の眼鏡のモダン。
【請求項９】
前記モダン本体には、前記絡み防止部材の揺動軌跡に沿って延在する溝が設けられており、
前記突起は、溝内部に沿って移動されるとともに、溝外部に出されて前記モダン本体に摩擦係合されることを特徴とする請求項６又は８に記載の眼鏡のモダン。
【請求項１０】
前記可動耳当て部は、前記一端側が前記モダン本体に近接する第１の位置から、前記一端側が前記モダン本体から離間する第２の位置の間で揺動されるように、揺動範囲が規制されており、
前記可動耳当て部が、前記第１及び第２の位置の少なくとも一方の位置に配置されるとき、前記突起は前記溝外部に配置されて、前記モダン本体に摩擦係合するとともに、
前記可動耳当て部が前記第１及び第２の位置の間に位置するとき、前記突起が前記溝内部に挿入されていることを特徴とする請求項９に記載の眼鏡のモダン。
【請求項１１】
前記モダン本体には孔が設けられており、前記絡み防止部材が前記孔に摺動可能に挿通されていることを特徴とする請求項１に記載の眼鏡のモダン。
【請求項１２】
請求項１ないし１１のいずれか１項に記載のモダンを有する眼鏡。
【発明の詳細な説明】
【技術分野】
【０００１】
本発明は、眼鏡がずれ落ちることを防止することが可能な眼鏡のモダンに関する。
【背景技術】
【０００２】
眼鏡のテンプルの後部には、下方に折り曲げられた形状のモダンが設けられるのが一般的である。従来、眼鏡のずれ落ちを防止するために、モダンに別体の耳当て部材が設けられる場合がある（例えば、特許文献１参照）。耳当て部材は、耳の裏側の形状に沿った所定の長さを有するとともに、モダン前方に配置され、その中途部がモダンの下端部に揺動可能に連結されている。このような可動耳当て部は、眼鏡がずれ落ちようとすると回転しようとして耳裏側に作用される力を大きくし、それにより、眼鏡のずれ落ちが防止される。
【０００３】
しかし、このような耳当て部材を備えた眼鏡は、取り外される際テンプルが持ち上げられると、モダンと耳当て部材の間に髪の毛が入り込み、これらの連結部に髪の毛が絡まって使用者に不快な思いをさせることがある。そのため、髪の毛の侵入を防止するために、耳当て部材の上端部と、モダンの前端部近傍とを連結する絡み防止部材が設けられることがある。絡み防止部材は、例えば弾性部材で形成されており、その絡み防止部材によって、可動耳当て部は、テンプル側へ押し付けられた姿勢、またはテンプルから離間させられた姿勢のいずれかに保持される（特許文献２参照）。
【先行技術文献】
【特許文献】
【０００４】
【特許文献１】特開平０７−０５６１２４号公報
【特許文献２】特許第３５２６５７１号公報
【発明の概要】
【発明が解決しようとする課題】
【０００５】
しかし、特許文献２の構成では、絡み防止部材の一端がモダンに固定されているため、耳当て部材の移動が絡み防止部材によって規制されることになる。そのため、可動耳当て部は小さい力で自由に揺動できず、揺動する際に使用者の耳の裏側に比較的大きな力を作用させることになり、使用者に不快な思いをさせることがある。また、耳の形状に合わせて可動耳当て部が自由に揺動できなくなるおそれもある。特に、絡み防止部材によって可動耳当て部が２つの姿勢のいずれかに保持される場合、可動耳当て部の移動はさらに規制されることになる。
【０００６】
本発明は、以上の問題点に鑑みてなされたものであり、耳当て部材とモダン本体との連結部分に髪の毛が絡まるのを防止しつつ、可動耳当て部が比較的小さな力で揺動できるようにした眼鏡の耳当て構造を提供することを目的とする。
【課題を解決するための手段】
【０００７】
本発明に係る眼鏡のモダンは、下方に曲げられた形状を有するモダン本体と、耳の裏側に沿った細長形状を有し、少なくとも一端側がモダン本体前方に配置されるとともに、中途部がモダン本体の下端に揺動可能に連結される可動耳当て部と、可動耳当て部に連設されて可動耳当て部とともに揺動し、かつ可動耳当て部の中途部と一端の間の位置から、モダン本体の下端より上側であって下端に近接する位置に向けて延出し、先端部が少なくともモダン本体の前面より後方に配置される絡み防止部材とを備えることを特徴とする。
【０００８】
絡み防止部材は、モダン本体の側面に沿って揺動することが好ましい。また、絡み防止部材は、可動耳当て部からモダン本体に向けて延出し、モダン本体を挟み込むように配置される第１及び第２の延出部を備えていたほうが良い。例えば、第１及び第２の延出部それぞれは、モダン本体の両側面それぞれに沿って揺動する。絡み防止部材は、第１及び第２の延出部の先端同士を連結し、モダン本体の背面より後方に配置される保持部をさらに備えていても良い。
【０００９】
絡み防止部材、例えば第１及び第２の延出部の一部は、モダン本体の側面等に摩擦係合することが好ましい。絡み防止部材は、例えば第１及び第２の延出部に設けられ、モダン本体の側面等に摩擦係合する突起を有することがより好ましい。モダン本体には、絡み防止部材の揺動軌跡に沿って延在する溝が設けられていたほうが良い。この場合上記突起は、溝内部に沿って移動されるとともに、溝外部に出されてモダン本体に摩擦係合される。
【００１０】
可動耳当て部は、一端側がモダン本体に近接する第１の位置から、一端側がモダン本体から離間する第２の位置の間で揺動されるように、揺動範囲が規制されていたほうが良い。可動耳当て部は、第１及び第２の位置の少なくとも一方の位置に配置されるとき、上記突起は溝外部に配置されて、モダン本体に摩擦係合するとともに、可動耳当て部が第１及び第２の位置の間に位置するとき、上記突起は溝内部に挿入されている。なお、モダン本体には孔が設けられていても良い。この場合絡み防止部材は、モダン本体の側面に沿って揺動する代わりに、孔に摺動可能に挿通される。
【発明の効果】
【００１１】
本発明によれば、絡み防止部材によって耳当て部材とモダン本体との連結部分に髪の毛が絡まることが防止されるとともに、可動耳当て部を比較的小さな力で揺動させることができる。
【図面の簡単な説明】
【００１２】
【図１】第１の実施形態のモダンを備えた眼鏡を示す斜視図である。
【図２】第１の実施形態のモダン本体を示す斜視図である。
【図３】第１の実施形態の可動耳当て部を示す斜視図である。
【図４】第１の実施形態において、可動耳当て部が第１の位置に配置されたときのモダンの斜視図である。
【図５】第１の実施形態において、可動耳当て部が第２の位置に配置されたときのモダンの斜視図である。
【図６】第２の実施形態のモダンを示す斜視図である。
【発明を実施するための形態】
【００１３】
以下図面を参照しつつ、本発明の実施形態を説明する。
図１は、第１の実施形態の眼鏡を示す。第１の実施形態の眼鏡１０は、レンズ１１、１１と、レンズ１１、１１を保持する前枠１３と、前枠１３の左右両端にヨロイ部１６、１６を介して連結されるテンプル１７、１７と、テンプル１７、１７の後方に設けられたモダン１８、１８を備える。モダン１８それぞれは、テンプル１７の後端に連結されるモダン本体２０と、モダン本体２０に取り付けられた可動耳当て部３０と、モダン本体２０と可動耳当て部３０との間を掛け渡すように設けられた絡み防止部材４０とを有する。
【００１４】
次に、図２〜５を用いてモダンの構造についてさらに詳細に説明する。なお、以下の説明においては、眼鏡１０の前方側から見て右側のモダン１８について説明するが、左側のモダン１８の構造も同様であるので、その説明を省略する。
【００１５】
図２に示すように、モダン本体２０は、テンプル１７の後端に連結され、後方側が下方に折り曲げられた形状を有する。モダン本体２０は、眼鏡１０の前方及び後方それぞれに向けられた前面２０Ａ及び背面２０Ｂ、並びにこれらを接続し眼鏡１０の前後方向に平行な側面２０Ｃ、２０Ｄによって外周面が構成され、断面四角形に形成される。モダン本体２０の下端２０Ｕには、側面２０Ｃから側面２０Ｄに貫通された貫通孔２１が設けられる。貫通孔２１は、後述するように、軸部材２９（図４参照）の軸受け部を構成する。
【００１６】
モダン本体２０において、前面２０Ａの下端部は、曲面状に滑らかに背面２０Ｂ側に向けて傾斜し、曲面から成る下端面２０Ｅに滑らかに接続される。モダン本体２０の下端２０Ｕには、前面２０Ａの下端部から下端面２０Ｅの後側にわたって開口し、かつ貫通孔２１に連通する溝２２が設けられる。
【００１７】
モダン本体２０の両側面２０Ｃ、２０Ｄそれぞれには、ガイド溝２３、２３が設けられる。ガイド溝２３は、下端２０Ｕ（すなわち、貫通孔２１）の僅かに上方であって下端２０Ｕに近接する位置に配置される。ガイド溝２３は、前後に延在しかつ上方に膨らんだ円弧状を呈し、絡み防止部材４０（図３参照）が揺動する軌跡に沿った形状を有する。
【００１８】
図３に示すように、可動耳当て部３０は、耳の裏側に沿った形状を有する湾曲状の細長部材であって、後述する図４の状態で一端３０Ｔが上端、他端３０Ｕが下端を構成する。可動耳当て部３０は、図４の状態で眼鏡１０の前方及び後方それぞれに向けられる前面３０Ａ及び背面３０Ｂ、並びにこれらを接続し眼鏡１０の前後方向に平行な側面３０Ｃ、３０Ｄによって外周面が構成され、断面四角形に形成される。ただし、モダン本体２０及び可動耳当て部３０は、断面四角形でなくても良く、例えば前面２０Ａ、３０Ａ、背面２０Ｂ、３０Ｂの中央が膨らみ、断面樽形等でも良い。
【００１９】
可動耳当て部３０の中途部（可動耳当て部３０の中心より他端３０Ｕ側の部分）には、貫通孔３１を有する連結片３２が連設固定される。連結片３２は、背面３０Ｂから突出するように形成される。図４、５に示すように、貫通孔３１がモダン本体２０の貫通孔２１に重ねなられるように、連結片３２はモダン本体２０の溝２２内部に挿入され、これら貫通孔２１、３１に軸部材２９が挿入される。これにより、可動耳当て部３０は、その中途部が連結片３２を介してモダン本体２０の下端２０Ｕに連結され、軸部材２９（すなわち、モダン本体の下端２０Ｕ）を中心に揺動可能となる。
【００２０】
連結片３２は、溝２２内部を前後に揺動し、その揺動に合わせて、可動耳当て部３０も揺動する。図４に示すように、連結片３２が、溝２２の上端面２２Ａに当接すると、連結片３２及び可動耳当て部３０は図４の状態より時計回りに回転できなくなる。図４の状態において、可動耳当て部３０は、その全体がモダン本体２０の前方に配置されて上下に延在し、一端３０Ｔがモダン本体に最も近接する。
【００２１】
一方、図５に示すように、連結片３２が溝２２の後端面２２Ｂに当接すると、連結片３２及び可動耳当て部３０は図５の状態より反時計回りに回転できなくなる。図５の状態において、可動耳当て部３０は、モダン本体２０の下方において、一端３０Ｔがモダン本体２０より前方側に、他端３０Ｕが後方側に配置されて前後に延在する。また、一端３０Ｔはモダン本体２０から最も離間する。このように、可動耳当て部３０は、一端３０Ｔがモダン本体２０に近接する所定の位置（第１の位置；図４参照）から、離間する所定の位置（第２の位置；図５参照）の間でのみ揺動できるように、揺動範囲が規制される。
【００２２】
図３に示すように、絡み防止部材４０は、第１及び第２の延出部４１、４２と、保持部４３とによって一体に形成される。第１及び第２の延出部４１、４２は、可動耳当て部３０の両側面３０Ｃ、３０Ｄそれぞれに連設固定しており、これにより、絡み防止部材４０は可動耳当て部３０とともに揺動する。一方、絡み防止部材４０は、モダン本体２０に固定しておらず、揺動するときモダン本体２０に対して相対的に移動する。
【００２３】
第１及び第２の延出部４１、４２が連設される両側面３０Ｃ、３０Ｄの位置は、可動耳当て部３０の略中央位置であって、連結片３２が連設された中途部と一端３０Ｔの間である。絡み防止部材４０は、例えば硬質樹脂等の可撓性を実質的に有さない材料によって、可動耳当て部３０と一体に形成される。
【００２４】
第１及び第２の延出部４１、４２は、他端３０Ｕ側に傾斜しつつ耳当て部３０の背面側に張り出しており、図４、５に示すように、モダン本体２０の側面２０Ｃ、２０Ｄのガイド溝２３、２３が設けられた部分に向けて延出する。延出部４１、４２は、ガイド溝２３、２３の少なくとも一部を覆うように配置され、モダン本体２０を両側から挟み込む。
【００２５】
延出部４１、４２は、それぞれ側面２０Ｃ、２０Ｄ、３０Ｃ、３０Ｄに平行な板状の部材であって、その一面（対向面４１Ａ、４２Ａ）が互いに対向するように配置される。そして、対向面４１Ａ、４２Ａそれぞれは、両側面２０Ｃ、２０Ｄに沿うように配置される。これにより、延出部４１、４２は、可動耳当て部３０が揺動するとき、両側面２０Ｃ、２０Ｄに沿って移動し、可動耳当て部３０の揺動をガイドする。
【００２６】
第１及び第２の延出部４１、４２は、それぞれ中途部が基端部及び先端部より幅が細くなった形状を有し、これにより、延出部４１、４２の上縁部４１Ｓ、４２Ｓ（一端３０Ｔ側の縁部）は、曲線状に滑らかに他端３０Ｕ側に傾きつつ背面側に延びる。
【００２７】
保持部４３は、延出部４１、４２の先端部４１Ｔ、４２Ｔの下縁部側（他端３０Ｕ側）の隅部同士を連結し、延出部４１、４２間の間隔を一定に保持する。第１及び第２の延出部４１、４２の先端部４１Ｔ、４２Ｔは、モダン本体２０より後方に配置され、保持部４３はモダン本体２０の背面２０Ｂよりさらに後方に配置される。すなわち、モダン本体２０は、対向面４１Ａ、４２Ａと、背面３０Ｂと、保持部４３によって区画された挿入通路３５に挿入される。保持部４３は、可動耳当て部３０が第２の位置（図５の状態）に配置されるとき、背面２０Ｂに当接し、溝２２の後端面２２Ｂと共に揺動を規制する部材となっても良い。
【００２８】
第１及び第２の延出部４１、４２の対向面４１Ａ、４２Ａそれぞれには、半円状の突起４４、４４が設けられる。可動耳当て部３０が、第１及び第２の位置以外の位置に配置されるとき、すなわち、第１及び第２の位置の間に配置されるとき、突起４４、４４は、ガイド溝２３、２３内部に挿入される。突起４４、４４は、可動耳当て部３０の揺動に合わせて、ガイド溝２３、２３内部を前後に移動する。このとき、突起４４、４４は、ガイド溝２３、２３内部に摩擦係合されず、モダン本体２０に殆ど力を作用させないため、絡み防止部材４０は小さな力で揺動可能である。
【００２９】
一方、可動耳当て部３０が第１及び第２の位置に配置されるとき、突起４４、４４は、ガイド溝２３、２３外部に配置される。すなわち図４に示すように、可動耳当て部３０が第１の位置に配置されるとき、突起４４、４４はガイド溝２３、２３の後端よりさらに後方に配置され、突起４４、４４の先端が側面２０Ｃ、２０Ｄに当接する。図５に示すように、第２の位置に配置されるときも同様に、突起４４、４４は、ガイド溝２３、２３の前端よりもさらに前方側に配置され、突起４４、４４の先端が側面２０Ｃ、２０Ｄに当接する。
【００３０】
したがって、可動耳当て部３０が第１及び第２の位置に配置されるとき、突起４４、４４は側面２０Ｃ、２０Ｄそれぞれに摩擦係合される。そのため、可動耳当て部３０が、第１及び第２の位置に配置されるとき、その他の位置に配置されるときに比べて、突起４４、４４からモダン本体２０に作用される押圧力は大きくなる。これにより、可動耳当て部３０は、第１及び第２の位置で、突起４４、４４によってクリックストップさせられ、その他の位置に移動させるために比較的大きな力が必要になる。
【００３１】
以上のように本実施形態では、可動耳当て部３０は、第２の位置に配置されることにより前後に延在し、また、この状態でクリックストップさせられており、不意に揺動することもない。したがって、眼鏡１０は、可動耳当て部３０が第２の位置に配置された状態で（図５の状態）、使用者にストレスなく装着される。
【００３２】
眼鏡１０が使用者に装着され、モダン１８が耳の裏側に取り付けられると、可動耳当て部３０は一端３０Ｔ側が耳の裏側によって上方に押され、クリックストップが解除される。すなわち、眼鏡１０が一旦使用者に装着されると、可動耳当て部３０は、第１及び第２の位置の間に配置され、小さな力で揺動可能となる。したがって、可動耳当て部３０は、耳に大きな力を作用させることなく、様々な形状の耳にフィットすることが可能になり、また前枠１３のずれ落ちも比較的小さな力で防止することができる。
【００３３】
また、モダン本体２０及び可動耳当て部３０の連結部分（連結片３２）の上方は、絡み防止部材４０によって塞がれる。これにより、テンプル１７が持ち上げられて眼鏡１０が取り外される際、モダン本体２０と可動耳当て部３０の間に髪の毛が入り込んでも、その髪の毛の連結部分への侵入は、絡み防止部材４０によって防止される。
【００３４】
さらに、眼鏡１０は、可動耳当て部３０が第１の位置（図４の状態）に配置されると、通常の眼鏡と形状や見栄えが略同一となるため、図４の状態で眼鏡ケース等に収納され、或いは商品展示させられることが多くなるが、この状態で可動耳当て部３０は、クリックストップさせられる。そのため本実施形態では、可動耳当て部３０が、商品展示中や収納時に、不意に揺動することも防止される。
【００３５】
なお、本実施形態では、絡み防止部材４０は、軸中心である下端２０Ｕ近傍に配置され、その揺動距離が短くなるため、絡み防止部材４０の長さを短くでき、図４の状態でも絡み防止部材４０を背面２０Ｂより大きく後方に突出させる必要がない。また、絡み防止部材の上縁部４１Ｓ、４２Ｓは、滑らかな曲線状であり、かつ他端３０Ｕ側に傾いているので、モダン本体２０と可動耳当て部３０の間に入った髪の毛を外側に逃がしやすい。
【００３６】
図６は、第２の実施形態に係るモダンを示す斜視図である。第２の実施形態が第１の実施形態と相違する点は、絡み防止部材及びモダン本体の形状である。以下、第２の実施形態について、相違点を中心に説明する。
【００３７】
本実施形態におけるモダン本体２０には、貫通孔２１の上側であって下端２０Ｕに近接する位置に、前面２０Ａから背面２０Ｂに貫通する貫通孔５０が設けられる。貫通孔５０は、長辺が上下に延在する断面矩形の孔である。
【００３８】
一方、絡み防止部材６０は、側面２０Ｃ、２０Ｄ、３０Ｃ、３０Ｄと略平行に配置される板状部材であって、可動耳当て部３０の背面３０Ｂから他端３０Ｕ側に傾きつつその背面側に延出する部材である。絡み防止部材６０は、第１の実施形態と同様に可動耳当て部３０の略中央位置に配置される。絡み防止部材６０は、貫通孔５０に向けて延出し、前面２０Ａ側から貫通孔５０に挿入され、その先端部６０Ｔが背面２０Ｂから突出する。絡み防止部材６０の先端部６０Ｔには、円柱形の当接部６３が連設される。当接部６３は、その幅（直径）及び高さが、貫通孔５０の幅及び高さより大きく、貫通孔５０内部に挿入できないが、可動耳当て部３０が第２の位置（図６の状態）に配置されたとき、背面２０Ｂに当接して、溝２２の後端面２２Ｂと共に揺動を規制する部材になる。
【００３９】
第１の実施形態と同様に、絡み防止部材６０は、モダン本体２０に固定されずに、可動耳当て部３０に固定されており、可動耳当て部３０とともに揺動可能である。絡み防止部材６０は、揺動するとき貫通孔５０内部を摺動し、背面２０Ｂから突出する部分の長さを変化させる。
【００４０】
本実施形態でも、絡み防止部材６０は、中途部の幅が基端部及び先端部の幅より細くなった形状を有する。そのため、可動耳当て部３０が第１又は第２の位置に配置されるとき、絡み防止部材６０の外周面（両縁部６０Ｓ、６０Ｕ）は、貫通孔の内周面に摩擦係合される。一方、可動耳当て部３０が第１及び第２の位置の間に配置されるとき、両縁部６０Ｔ、６０Ｕは貫通孔の内周面に摩擦係合しない。したがって本実施形態でも、可動耳当て部３０は、第１又は第２の位置に配置されるとき揺動させるのに大きな力が必要となるが、第１及び第２の位置の間に配置されるときには、小さな力で揺動させることが可能である。
【００４１】
なお、第１及び第２の実施形態において、絡み防止部材４０、６０の先端部４１Ｔ、４２Ｔ、６０Ｔは、髪の毛の絡みを防止できれば、背面２０Ｂより後方に配置される必要はなく、最も前方側に配置された状態（すなわち、図５、６の状態）において、前面２０Ａより後方に配置されていれば良い。但し、絡み防止部材４０、６０の先端部４１Ｔ、４２Ｔ、６０Ｔが、背面２０Ｂより前方に配置される場合、保持部４３や当接部６３は省略される。
【符号の説明】
【００４２】
１０  眼鏡
１７  テンプル
１８  モダン
２０  モダン本体
３０  可動耳当て部
４０、６０  絡み防止部材
４４  突起
４１、４２  第１及び第２の延出部
【図１】
0005416017.tif 000002
【図２】
0005416017.tif 000003
【図３】
0005416017.tif 000004
【図４】
0005416017.tif 000005
【図５】
0005416017.tif 000006
【図６】
0005416017.tif 000007